(57)【要約】      （修正有）【課題】お湯を注ぐ際に蓋を押さえなくとも、蓋が脱落するおそれがない湯沸かし器を提供する。【解決手段】前面にくちばし状の注ぎ口４と後面に取手５とを備え上面が円形に開口した本体２と該開口を閉塞する蓋３とからなる湯沸かし器１において、本体２上部の内壁には蓋３の座部となる一対の突縁が左右対称に突設されているとともに、一対の突起７、７が対称に突縁に近設されていること、蓋３の前部及び後部には切り欠き９、１０がそれぞれ形成されていていること、及び各突起７、７と各切り欠き９、１０の位置を合わせると蓋３の下端面全体が突縁上に載置可能となるとともに、蓋３を突縁上に載置した状態で回転させ、各突起７、７と各切り欠き９、１０の位置が対応しなくなると、本体２を傾けても各突起７、７によって蓋３が係止され、蓋３が本体２から脱落することを防止できるようにした。【選択図】図２
0003107490.tif 000002
【実用新案登録請求の範囲】
【請求項１】
前面にくちばし状の注ぎ口と後面に取手とを備え上面が円形に開口した本体と該開口を閉塞する蓋とからなる湯沸かし器において、前記本体上部の内壁には前記蓋の座部となる複数の突縁が突設されているとともに、複数の突起が前記突縁に近設されていること、前記蓋の周縁には、前記各突起と対応するそれぞれの位置に切り欠きが形成されていていること、及び前記各突起と前記各切り欠きの位置を合わせると前記蓋の下端面全体が前記突縁上に載置可能となるとともに、前記蓋を前記突縁上に載置した状態で回転させ、前記各突起と前記各切り欠きの位置が対応しなくなると、前記本体を傾けても前記各突起によって前記蓋が係止され、該蓋が前記本体から脱落することを防止できるようにしたことを特徴とする湯沸かし器。
【請求項２】
前面にくちばし状の注ぎ口と後面に取手とを備え上面が円形に開口した本体と該開口を閉塞する蓋とからなる湯沸かし器において、前記本体上部の内壁には前記蓋の座部となる一対の突縁が左右対称に突設されているとともに、一対の突起が対称に前記突縁に近設されていること、前記蓋の前部及び後部には切り欠きがそれぞれ形成されていていること、及び前記各突起と前記各切り欠きの位置を合わせると前記蓋の下端面全体が前記突縁上に載置可能となるとともに、前記蓋を前記突縁上に載置した状態で回転させ、前記各突起と前記各切り欠きの位置が対応しなくなると、前記本体を傾けても前記各突起によって前記蓋が係止され、該蓋が前記本体から脱落することを防止できるようにしたことを特徴とする湯沸かし器。
【考案の詳細な説明】
【技術分野】
【０００１】
本考案は、湯沸かし器に関するものである。
【背景技術】
【０００２】
この種の湯沸かし器にあっては、本体内部に水を注入した後、開口を蓋で閉塞し、お湯を沸かして使用する。しかしながら、前記蓋は本体と係止されていないのが一般的であるため、お湯を注ぐときに傾けると、蓋が本体から脱落するおそれがある。そのため、お湯を注ぐ場合には、片手で蓋を押さえなければならず面倒である。また、誤って蓋を押さえずにお湯を注いだ場合には、蓋の脱落によりやけどをするおそれがある。
【考案の開示】
【考案が解決しようとする課題】
【０００３】
本考案は、上記従来品の欠点を解決すべくなされたものであって、お湯を注ぐ際に蓋を押さえなくとも、蓋が脱落するおそれがない湯沸かし器を提供することにある。
【課題を解決するための手段】
【０００４】
本考案の目的を達成するため、本考案に係る湯沸かし器は、前面にくちばし状の注ぎ口と後面に取手とを備え上面が円形に開口した本体と該開口を閉塞する蓋とからなる湯沸かし器において、前記本体上部の内壁には前記蓋の座部となる複数の突縁が突設されているとともに、複数の突起が前記突縁に近設されていること、前記蓋の周縁には、前記各突起と対応するそれぞれの位置に切り欠きが形成されていていること、及び前記各突起と前記各切り欠きの位置を合わせると前記蓋の下端面全体が前記突縁上に載置可能となるとともに、前記蓋を前記突縁上に載置した状態で回転させ、前記各突起と前記各切り欠きの位置が対応しなくなると、前記本体を傾けても前記各突起によって前記蓋が係止され、該蓋が前記本体から脱落することを防止できるようにしたことを特徴とするものである。
【０００５】
また、本考案に係る湯沸かし器は、前面にくちばし状の注ぎ口と後面に取手とを備え上面が円形に開口した本体と該開口を閉塞する蓋とからなる湯沸かし器において、前記本体上部の内壁には前記蓋の座部となる一対の突縁が左右対称に突設されているとともに、一対の突起が対称に前記突縁に近設されていること、前記蓋の前部及び後部には切り欠きがそれぞれ形成されていていること、及び前記各突起と前記各切り欠きの位置を合わせると前記蓋の下端面全体が前記突縁上に載置可能となるとともに、前記蓋を前記突縁上に載置した状態で回転させ、前記各突起と前記各切り欠きの位置が対応しなくなると、前記本体を傾けても前記各突起によって前記蓋が係止され、該蓋が前記本体から脱落することを防止できるようにしたことを特徴とするものである。
【考案の効果】
【０００６】
本考案によれば、お湯を注ぐ際に蓋を片手で押さえる必要がなくなるので、その分の労力が省けるとともに、蓋が脱落するおそれがないので、やけどの心配もなくなり、安全である。
【考案を実施するための最良の形態】
【０００７】
以下、図面を参照して本考案の実施の形態を説明する。
【実施例１】
【０００８】
図面において、１は本考案に係る湯沸かし器、２は上面が円形に開口し、上方にゆくに従って径小な有底略筒状の湯沸かし器本体であり、３は、該本体の前記開口を閉塞する平面円形の蓋である。前記本体２と蓋３はステンレスによって形成されている。前記本体２の前面頂部には、前方に突出したくちばし状の注ぎ口４が形成されるとともに、前記本体の後面には取手５が形成されている。
【０００９】
前記本体２の上部の左右の内壁には、内側に向かって突出した一対の突縁６、６が左右対称に溶接によって突設されている。該突縁６、６は、前記蓋３の座部となるものである。該突縁６、６は、お湯を注ぎ易くすために本体２前方には設けられておらず、左右の突縁６、６の先端部６′、６′の間は、お湯を注ぐのに適した十分なスペースＰが形成されている。また、該突縁６、６は、後述する蓋３の蒸気口としての切り欠きと連通させるために本体２の後方にも設けられていないが、左右の突縁６、６の後端部６″、６″の間は、蒸気口としてスペースＳがあればよく、前記スペースＰに比べて小さいのが通常である。
【００１０】
また、前記本体２の内壁には、一対の突起７、７が前記突縁６、６に近設されている。該突起７、７は、前記突縁６、６の上方であって、左方の突縁先端部６´と右方の突縁後端部″の付近に互いに対称に突設されている。該突起７、７の形成は、絞り加工によるのが容易である。
【００１１】
次に、前記蓋３は前記突縁６、６が形成された本体２の内径とほぼ同径の椀状であって、前記突縁６、６上に載置されることにより本体２の開口を閉塞するように形成されており、上面中心部にはつまみ８が設けれている。該蓋３の周縁前部及び周縁後部には、それぞれ円弧状の切り欠き９、１０が形成されている。前記前部切り欠き９は、注水口としての役割を有するものであり、前記スペースＰと連通してお湯を注げるのに十分な大きさであればよく、該切り欠き９のＬ１部分の長さは前記スペースＰの部分とほぼ同じぐらいの長さか若干短くなるように形成されている。また、前記後部切り欠き１０は、上述したように蒸気口としての役割を有するものであり、前記スペースＳと連通して蒸気を噴出するのに十分な大きさであればよく、該切り欠き１０のＬ２部分の長さは前記スペースＳの部分とほぼ同じぐらいの長さか若干短くなるように形成されている。
【００１２】
前記蓋３は、前記各突起７、７の位置と前記切り欠き９、１０の位置とをそれぞれ合わせることによって、該蓋３の下端面３ａ全体が前記突縁６、６上に載置可能となる。そして、該突縁６、６上に載置した状態で蓋３を回転させ、前記切り欠き９が前記スペースＰ上に、前記切り欠き１０が前記スペースＳ上に重なるようにする。それにより、前記突起７、７と前記切り欠き９、１０の位置がそれぞれ対応しなくなり、該突起７、７が蓋３の上面上にくるので、蓋３の上面と突起７、７とが係合し、本体２を傾けても蓋３が係止され、該蓋３が本体から脱落することを防止することができる。
【００１３】
以上、本考案の実施例を図面を参照して詳述したが、本考案は、該実施例に限定されるものではなく、実用新案登録請求の範囲に記載の範囲内で、これに各種の改変を施して実施することができるものである。
【産業上の利用可能性】
【００１４】
本考案は、水を入れて火をかけ、お湯を沸かす湯沸しとして使用するのが一般的であるが、コーヒーや紅茶等を中に入れてポットとして利用することもできる。
【図面の簡単な説明】
【００１５】
【図１】本考案の一実施例としての湯沸かし器の左側面図である。
【図２】湯沸かし器の本体に蓋をした状態の平面図である。
【図３】湯沸かし器の本体の平面図である。
【図４】蓋の正面図である。
【図５】蓋の背面図である。
【図６】蓋の平面図である。
【図７】Ａ−Ａ′部分のＢ−Ｂ′線の断面図である。
【図８】Ａ−Ａ′部分のＣ−Ｃ′線の断面図である。
【符号の説明】
【００１６】
２            湯沸かし器本体
３            蓋
６            突縁
７            突起
９            前部切り欠き
１０            後部切り欠き
【図１】
0003107490.tif 000003
【図２】
0003107490.tif 000004
【図３】
0003107490.tif 000005
【図４】
0003107490.tif 000006
【図５】
0003107490.tif 000007
【図６】
0003107490.tif 000008
【図７】
0003107490.tif 000009
【図８】
0003107490.tif 000010